(57)【特許請求の範囲】
【請求項１】
シンクを支持するシンク下キャビネットと食器洗い機を収納する食器洗い機用キャビネットとを別体に形成すると共にシンク下キャビネットの側板と食器洗い機用キャビネットの側板とが対応するように並設し、食器洗い機用キャビネットのシンク下キャビネット側の側板に開口を設けると共に開口以外の部分は下部の下側板と後側の後支柱部及び前側の前支柱部で構成することを特徴とする台所キャビネット。
【請求項２】
シンク下キャビネットの食器洗い機用キャビネット側の側板に食器洗い機の給排水用の配管を通す配管挿通孔を予め設けたことを特徴とする請求項１記載の台所キャビネット。
【発明の詳細な説明】
【０００１】
【発明の属する技術分野】
本発明は、シンク及び食器洗い機を有する台所キャビネットの構造に関するものである。
【０００２】
【従来の技術】
近年、台所では流し台に隣接するように食器洗い機を設置して使用されるようになってきた。そして食器洗い機を外観よく仕舞うために食器洗い機をキャビネットにビルドインすることが行われるようになってきた。従来、この種の台所用キャビネットの一例としては図８に示すものがある。これはシンクを支持するシンク下キャビネット部１′と食器洗い機を収納する食器洗い機用キャビネット部２′とを一体に設けて台所キャビネットＡ′を形成してあり、シンク下キャビネット部１′と食器洗い機用キャビネット部２′との間は１枚の仕切り板３にて仕切ってあり、仕切り板３の背部に食器洗い機に給排水するための給排水管を通すためのスペース４を設けてある。シンク下キャビネット部１′の前面や食器洗い機用キャビネット部２′の前面には扉５，６を開閉自在に取り付けてあり、台所用キャビネットＡ′はアジャスター７にて上下に高さ調整自在にしてある。図８で９は支柱棒であり、扉６の戸当たりとなるものである。
【０００３】
また他例の台所キャビネットＡ″としては図９に示すようなものがある。これはシンクを支持するシンク下キャビネット１と食器洗い機を収納する食器洗い機用キャビネット２とを別体に形成すると共にシンク下キャビネット１と食器洗い機用キャビネット２とを側板１ａ，２ａ同士が対向するように並設してあり、側板１ａ及び側板２ａには食器洗い機の給排水用の配管を通す配管挿通孔８を夫々設けてある。
【０００４】
【発明が解決しようとする課題】
上記従来例の前者にあっては、シンク下キャビネット部１′と食器洗い機用キャビネット部２′を一体に設けることで台所キャビネットＡ′を構成してあるためにシンク下キャビネット部１′の仕様が変わると台所キャビネットＡ′として異なる仕様のものを用意しなければならないという問題があり、また台所キャビネットＡ′全体の大きさが大きくて運搬や梱包作業がしにくいという問題がある。
【０００５】
また上記従来例の後者にあっては、台所キャビネットＡ″のシンク下キャビネット１と食器洗い機用キャビネット２とを別体にしてあるためにシンク下キャビネット１を変えるだけで仕様の変更に対応できると共に運搬や梱包作業がしやすいようにできるが、シンク板キャビネット１と食器洗い機用キャビネット２との間に２枚の側板１ａ，２ａが位置して食器洗い機の収納スペースが狭くなり、大きな食器洗い機を収納することができないという問題があり、またシンク下キャビネット１の側板１ａと食器洗い機用キャビネット２の側板２ａの両方に配管挿通孔８を穿孔しなければならないという問題がある。
【０００６】
本発明は叙述の点に鑑みてなされたものであって、シンク下キャビネットを変えるだけで仕様の変更に対応でき、しかも運搬や梱包が容易にでき、さらに最大限大きな食器洗い機を収納することができる台所キャビネットを提供するにある。
【０００７】
【課題を解決するための手段】
上記課題を解決するために本発明の請求項１の台所キャビネットＡは、シンク１０を支持するシンク下キャビネット１と食器洗い機１１を収納する食器洗い機用キャビネット２とを別体に形成すると共にシンク下キャビネット１の側板１ａと食器洗い機用キャビネット２の側板２ａとが対応するように並設し、食器洗い機用キャビネット２のシンク下キャビネット１側の側板２ａに開口１３を設けると共に開口１３以外の部分は下部の下側板１４と後側の後支柱部１５及び前側の前支柱部１６で構成することを特徴とする。シンク下キャビネット１と食器洗い機用キャビネット２とを別体にしたことにより、シンク下キャビネット１部分の仕様が変わってもシンク下キャビネット１を変えるだけで対応することができ、またシンク下キャビネット２と食器洗い機用キャビネット２とを別々に取り扱うことができて運搬や梱包が容易にできる。また食器洗い機用キャビネット２のシンク下キャビネット１側の側板２ａに開口１３を設けたことにより、食器洗い機用キャビネット２内の収納スペースが広くなり、最大限の大きさの食器洗い機１１を収納できるようになり、また給排水の配管を通す配管挿通孔８はシンク下キャビネット１の側板１ａに設けるだけで対応することができる。
【０００８】
また本発明の請求項２の台所キャビネットＡは、請求項１において、シンク下キャビネット１の食器洗い機用キャビネット２側の側板１ａに食器洗い機１１の給排水用の配管２３を通す配管挿通孔８を予め設けたことを特徴とする。配管挿通孔８を予め設けてあるために現場で配管挿通孔８を明ける必要がなくて施工が容易にできる。
【０００９】
【発明の実施の形態】
図１乃至図３に示すように台所キャビネットＡは別体のシンク下キャビネット１と食器洗い機用キャビネット２とを並設して形成されている。図１はシンク下キャビネット１の左側に食器洗い機用キャビネット２を並設したもので、図２はシンク下キャビネット１の右側に食器洗い機用キャビネット２を並設したもので、図３はニースペース付のシンク下キャビネット１を並設したものである。
【００１０】
食器洗い機用キャビネット２は図４に示すように両側の側板２ａと背面の背板２ｂと底部の底板２ｃとを前面を開口せる角箱状に組み立て、前面に開閉自在な扉６を装着して形成されている。食器洗い機用キャビネット２の下方には高さ調整するアジャスター７を装着してある。食器洗い機用キャビネット２のシンク下キャビネット１側に位置する一方の側板２ａは大部分を開口した開口１３を設けてあり、開口１３以外の部分は下部の下側板１４と後側の後支柱部１５及び前側の前支柱部１６だけを残した状態としてある。前支柱部１６は扉６の戸当たりとなる部分であり、食器洗い機用キャビネット２に一体に設けてあっても、後述するシンク下キャビネット１側に設けてあってもよい。側板２ａの下側板１４の前後、後支柱部１５の上部、前支柱部１６の上部には連結孔１７を穿孔してある。
【００１１】
シンク下キャビネット１は図５に示すように両側の側板１ａと背面の背板１ｂと底部の底板１ｃとで前面を開口せる角箱状に組み立て、前面に開閉自在な扉５を装着して形成されている。シンク下キャビネット１の下方には高さ調整するアジャスター７を装着してある。シンク下キャビネット１の食器洗い機用キャビネット２側に位置する側板１ａには上下に長い長孔状の配管挿通孔８を設けてあり、この側板１ａの４隅には夫々連結孔１７を穿孔してある。図６はニースペース付のシンク下キャビネット１である。この例の場合、前面の扉５の部分は後方に凹没させてあり、前面の上部が前方に突出しており、この前方に突出した突出部１８の前面に前幕板１９を装着してあり、突出部１８の下面側にシンク下化粧板２１を取り付けてある。このニースペース付のシンク下キャビネット１は車椅子に乗った状態で使用したり、通常の椅子に座った状態で使用したりできる。
【００１２】
上記のように構成する食器洗い機用キャビネット２とシンク下キャビネット１とを並設した状態で食器洗い機用キャビネット２の連結孔１７とシンク下キャビネット１の連結孔１７との間に連結ボルトを挿通して締結してある。そして図７に示すようにシンク下キャビネット１及び食器洗い機用キャビネット２の上面にはこれらの間に亙るようにカウンター２０を載設してあり、カウンター２０からシンク下キャビネット１内に落とし込むようにシンク１０を装着してあり、シンク１０から下方に排水管２２を導出してある。またカウンター２０から食器洗い機用キャビネット２内に落とし込むように食器洗い機１１を装着してあり、シンク１０の下方と食器洗い機１１との間に食器洗い機１１に対して吸排水する配管を配設してあり、シンク下キャビネット１と食器洗い機用キャビネット２との間に部分で配管２３が開口１３及び配管挿通孔８に挿通してある。食器洗い機１１の蓋２５はカウンター２０面に設けてあり、蓋２５を上下に回動することで開閉自在にしてある。食器洗い機１１の操作パネル２６は食器洗い機用キャビネット２の前面に露出させてある。またカウンター２０の上には水栓２４等が設置してあり、シンク下キャビネット１及び食器洗い機用キャビネット２の下端の前面にはこれらの間に亙るように蹴込み板２７を設けてある。
【００１３】
上記のようにシンク下キャビネット１と食器洗い機用キャビネット２とで台所キャビネットＡが形成されるが、食器洗い用キャビネット２を共通としてシンク下キャビネット１を図５のようなノーマルシンク下キャビネット、図６に示すようなニースペース付シンク下キャビネット、引き出し付シンク下キャビネット等と入れ替えることにより、種々の仕様の台所キャビネットＡを形成することができる。またシンク下キャビネット１の側板１ａに配管挿通孔８を明けるだけで配管２３を通すことができるために通常仕様のシンク下キャビネットと部材の共通化を図ることができる。また食器洗い機用キャビネット２の側板２ａに開口１３を設けてあるために前支柱部１６の寸法を最小限にすることにより、食器洗い機１１の収納量を最大限に取れる。また台所キャビネットＡを食器洗い機用キャビネット２とシンク下キャビネット１とに分割することにより運搬、梱包作業を楽にできる。
【００１４】
【発明の効果】
本発明は叙述のようにシンクを支持するシンク下キャビネットと食器洗い機を収納する食器洗い機用キャビネットとを別体に形成すると共にシンク下キャビネットの側板と食器洗い機用キャビネットの側板とが対応するように並設し、食器洗い機用キャビネットのシンク下キャビネット側の側板に開口を設けると共に開口以外の部分は下部の下側板と後側の後支柱部及び前側の前支柱部で構成するものであって、シンク下キャビネットと食器洗い機用キャビネットとを別体にしたので、シンク下キャビネット部分の仕様が変わってもシンク下キャビネットを変えるだけで対応することができるものであり、またシンク下キャビネットと食器洗い機用キャビネットとを別々に取り扱うことができて運搬や梱包が容易にできるものであり、また食器洗い機用キャビネットのシンク下キャビネット側の側板に開口を設けたので、食器洗い機用キャビネット内の収納スペースが広くなり、最大限の大きさの食器洗い機を収納できるものであり、さらに給排水の配管を通す配管挿通孔はシンク下キャビネットの側板に設けるだけで対応することができるものである。
【００１５】
また本発明の請求項２の発明は、請求項１において、シンク下キャビネットの食器洗い機用キャビネット側の側板に食器洗い機の給排水用の配管を通す配管挿通孔を予め設けたので、現場で配管挿通孔を明ける必要がなくて施工が容易にできるものである。
【図面の簡単な説明】
【図１】本発明の台所キャビネットの実施の形態の一例の斜視図である。
【図２】同上の他例の分解斜視図である。
【図３】同上のさらに他例の分解斜視図である。
【図４】同上の食器洗い機用キャビネットを示し、（ａ）は平面図、（ｂ）は正面図、（ｃ）は左側面図、（ｄ）は右側面図である。
【図５】同上のシンク下キャビネットを示し、（ａ）は平面図、（ｂ）は正面図、（ｃ）は側面図である。
【図６】同上のシンク下キャビネットの他例を示し、（ａ）は平面図、（ｂ）は正面図、（ｃ）は側面図である。
【図７】同上の台所キャビネットにシンクや食器洗い機を取り付けた状態を示し、（ａ）は平面図、（ｂ）は正面図、（ｃ）は側面から見た断面図である。
【図８】一従来例を示し、（ａ）は平面図、（ｂ）は正面図である。
【図９】他の従来例の分解斜視図である。
【符号の説明】
１  シンク下キャビネット
１ａ  側板
２  食器洗い機用キャビネット
２ａ  側板
８  配管挿通孔
１０  シンク
１１  食器洗い機
１３  開口
１４ 下側板
１５ 後支柱部
１６ 前支柱部
【図１】
0003546685.tif 000002
【図２】
0003546685.tif 000003
【図３】
0003546685.tif 000004
【図４】
0003546685.tif 000005
【図５】
0003546685.tif 000006
【図６】
0003546685.tif 000007
【図７】
0003546685.tif 000008
【図８】
0003546685.tif 000009
【図９】
0003546685.tif 000010